(57)【要約】【課題】子ページと他の子ページへのリンクを含む親ページが公開され、子ページ及び他の子ページの表示後に、親ページの表示を経ず、子ページを表示できる通信端末装置を提供する。【解決手段】通信端末装置は、サーバ装置から、子ページへのリンクと他の子ページへのリンクとを有する親ページ、子ページ及び他の子ページを順次取得し表示した後に、子ページを再度表示する。子ページ識別子により識別される子ページと、子ページ識別子を履歴情報として記憶している。現在表示されている他の子ページと同一の前記親ページを有する子ページの表示を示す指示情報を利用者から受け付け、指示情報を受け付けた場合に、履歴情報を取得し、取得した履歴情報により識別される子ページを読み出し表示する。【選択図】    図４
2004334494.tif 000002
【特許請求の範囲】
【請求項１】
ネットワークを介してサーバ装置から、子ページへのリンクと他の子ページへのリンクとを有する親ページ、前記子ページ及び前記他の子ページを順次取得し表示した後に、前記子ページを再度表示する通信端末装置であって、
子ページ識別子により識別される前記子ページを記憶しているページ記憶手段と、
前記子ページ識別子を履歴情報として記憶しているページ識別子記憶手段と、現在表示されている前記他の子ページと同一の前記親ページを有する前記子ページの表示を示す指示情報を利用者から受け付ける受付手段と、
前記指示情報を受け付けた場合に、前記ページ識別子記憶手段から前記履歴情報を取得する取得手段と、
取得した履歴情報により識別される前記子ページを前記ページ記憶手段から読み出す読出手段と、
読み出した前記子ページを表示する表示手段と
を備えることを特徴とする通信端末装置。
【請求項２】
前記通信端末装置は、さらに、
ネットワークを介して、前記子ページを取得する際に、取得した前記子ページを前記ページ記憶手段に書き込むページ書込手段と、
取得した前記子ページを識別する子ページ識別子を前記履歴情報として前記ページ識別子記憶手段に書き込む識別子書込手段と
を備えることを特徴とする請求項１に記載の通信端末装置。
【請求項３】
前記通信端末装置は、さらに、現在表示されている前記他の子ページを識別する他の子ページ識別子をカレント識別子として記憶しているカレント識別子記憶手段を備え、
前記ページ書込手段は、さらに、ネットワークを介して、前記他の子ページを取得する際に、取得した前記他の子ページを前記ページ記憶手段に書き込み、
識別子書込手段は、さらに、取得した前記他の子ページを識別する他の子ページ識別子を他の履歴情報として前記ページ識別子記憶手段に書き込み、
前記取得手段は、前記指示情報を受け付けた場合に、前記カレント識別子記憶手段に記憶されているカレント識別子とは異なる履歴情報を前記ページ識別子記憶手段から取得する
ことを特徴とする請求項２に記載の通信端末装置。
【請求項４】
ネットワークを介してサーバ装置から、子ページへのリンクと他の子ページへのリンクとを有する親ページ、前記子ページ及び前記他の子ページを順次取得し表示した後に、前記子ページを再度表示する通信端末装置で用いられるコンピュータ用の閲覧プログラムであって、
前記通信端末装置は、子ページ識別子により識別される前記子ページを記憶しているページ記憶手段と、前記子ページ識別子を履歴情報として記憶しているページ識別子記憶手段とを備え、
前記閲覧プログラムは、
現在表示されている前記他の子ページと同一の前記親ページを有する前記子ページの表示を示す指示情報を利用者から受け付ける受付ステップと、
前記指示情報を受け付けた場合に、前記ページ識別子記憶手段から前記履歴情報を取得する取得ステップと、
取得した履歴情報により識別される前記子ページを前記ページ記憶手段から読み出す読出ステップと、
読み出した前記子ページを表示する表示ステップと
を含むことを特徴とする閲覧プログラム。
【請求項５】
ネットワークを介してサーバ装置から、子ページへのリンクと他の子ページへのリンクとを有する親ページ、前記子ページ及び前記他の子ページを順次取得し表示した後に、前記子ページを再度表示する通信端末装置で用いられ、コンピュータ読み取り可能な記録媒体に記録されているコンピュータ用の閲覧プログラムであって、
前記通信端末装置は、子ページ識別子により識別される前記子ページを記憶しているページ記憶手段と、前記子ページ識別子を履歴情報として記憶しているページ識別子記憶手段とを備え、
前記閲覧プログラムは、
現在表示されている前記他の子ページと同一の前記親ページを有する前記子ページの表示を示す指示情報を利用者から受け付ける受付ステップと、
前記指示情報を受け付けた場合に、前記ページ識別子記憶手段から前記履歴情報を取得する取得ステップと、
取得した履歴情報により識別される前記子ページを前記ページ記憶手段から読み出す読出ステップと、
読み出した前記子ページを表示する表示ステップと
を含むことを特徴とする閲覧プログラム。
【請求項６】
ネットワークを介してサーバ装置から、子ページへのリンクと他の子ページへのリンクとを有する親ページ、前記子ページ及び前記他の子ページを順次取得し表示した後に、前記子ページを再度表示する通信端末装置で用いられる閲覧方法であって、
前記通信端末装置は、子ページ識別子により識別される前記子ページを記憶しているページ記憶手段と、前記子ページ識別子を履歴情報として記憶しているページ識別子記憶手段とを備え、
前記閲覧方法は、
現在表示されている前記他の子ページと同一の前記親ページを有する前記子ページの表示を示す指示情報を利用者から受け付ける受付ステップと、
前記指示情報を受け付けた場合に、前記ページ識別子記憶手段から前記履歴情報を取得する取得ステップと、
取得した履歴情報により識別される前記子ページを前記ページ記憶手段から読み出す読出ステップと、
読み出した前記子ページを表示する表示ステップと
を含むことを特徴とする閲覧方法。
【発明の詳細な説明】
【０００１】
【発明の属する技術分野】
本発明は、ネットワークを介して、様々な情報を含むページを取得して表示する技術に関する。
【０００２】
【従来の技術】
近年、文字、静止画、動画、音声など様々な情報を含むページがインターネットを介して公開され、利用者は、ブラウザを用いることにより、公開されているページを容易に取得して表示することができるようになってきている。
ブラウザは、パーソナルコンピュータなどのコンピュータシステム上で動作するソフトウェアであり、ページを公開するＷｅｂサーバ装置から、インターネットを介して、前記ページを取得し、取得したページを表示し、取得したページを保存する。また、過去に表示したページのＵＲＬ（Ｕｎｉｆｏｒｍ  Ｒｅｓｏｕｒｃｅ  Ｌｏｃａｔｏｒ）を履歴情報として保存し、利用者が過去に表示したページを再度表示したい場合には、利用者からＵＲＬの入力を受け付けることなく、保存している履歴情報から所望のＵＲＬの選択を受け付け、選択を受け付けたＵＲＬにより示されるページを、再度、Ｗｅｂサーバ装置から取得し又はコンピュータシステム内部から取得し、表示する。
【０００３】
特許文献１は、一度ダウンロードしたページに戻る際の操作性を向上させることを目的として、ダウンロードしたページの履歴表示が要求されたときに、リンク元からのリンクに基づくツリー構造により、ダウンロードしたページの履歴を表示するブラウザを開示している。
一般に、Ｗｅｂサーバ装置により公開されるページは、ＨＴＭＬ（Ｈｙｐｅｒ  Ｔｅｘｔ  Ｍａｒｋｕｐ  Ｌａｎｇｕａｇｅ）を用いて記述されたページ情報により構成され、ページ情報は、各種のタグと呼ばれる文字列を含んでいる。タグの１種であるアンカータグは、他のページへのハイパーリンク（以降、単に、リンクと呼ぶ。）を示す。ブラウザは、利用者から前記アンカータグの指示を受け付けると、前記アンカータグによりリンクが示されるページを取得し、取得したページを表示する。
【０００４】
ここで、２個のページ（それぞれ第１子ページ及び第２子ページと呼ぶ。）へのリンクを含むページ（親ページと呼ぶ。）がＷｅｂサーバ装置により公開されていると想定する。
ブラウザは、利用者の指示により、Ｗｅｂサーバ装置から親ページを取得し、第１子ページ及び第２子ページへのリンクを含む親ページを表示する。次に、利用者が第１子ページへのリンクを選択すると、ブラウザは、選択されたリンクにより示される第１子ページをＷｅｂサーバ装置から取得し、取得した第１子ページを表示する。次に、利用者が第２子ページを表示させるためには、ブラウザにより、一旦、親ページを表示させ、第２子ページへのリンクを選択し、ブラウザは、第２子ページをＷｅｂサーバ装置から取得し、取得した第２子ページを表示する。
【０００５】
さらに、その後、利用者が第１子ページを再度、表示させるためには、ブラウザにより、一旦、親ページを表示させ、その後、第１子ページへのリンクを選択する。こうして、ブラウザは、第１子ページをＷｅｂサーバ装置から又はコンピュータシステム内部から取得し、取得した第１子ページを表示する。
【０００６】
【特許文献１】
特開２００２−２０７７６６号公報
【０００７】
【発明が解決しようとする課題】
しかしながら、上記のように、第１子ページ及び第２子ページへのリンクを含む親ページがＷｅｂサーバ装置により公開されている場合において、ブラウザにより、第１子ページを表示させ次に第２子ページを表示させた後に、再度、第１子ページを表示するためには、一旦、親ページを表示させ、表示させた親ページから第１子ページへのリンクの選択を受け付けさせ、その後、第１子ページを取得させて表示させる。このように、親ページの表示を経なければ、第１子ページの取得ができず、第１子ページを再度取得したい場合に、本来表示をする必要のない親ページを表示しなければならないという問題点がある。
【０００８】
上記問題点を解決するために、本発明は、第１子ページ及び第２子ページへのリンクを含む親ページがＷｅｂサーバ装置により公開されている場合において、第１子ページ及び第２子ページの表示後に、上記の親ページの表示を経ることなく、第１子ページを表示できる通信端末装置、閲覧方法及び閲覧プログラムを提供することを目的とする。
【０００９】
【課題を解決するための手段】
上記目的を達成するために、本発明は、通信により、コンテンツ相互のリンク関係を表現できる形式のコンテンツを取得して表示する通信端末装置である。前記通信端末装置は、一度表示されたコンテンツに識別子を付して保存し、特定のコンテンツからリンク選択により表示されたコンテンツの識別子をヒストリ情報として記憶し、現在表示されているコンテンツの識別子をカレント番号として記憶し、直前に保存されたコンテンツの識別子を保存し、コンテンツ相互のリンク関係を保存することを特徴とする。ここで、前記通信端末装置は、現在表示されているコンテンツが上位コンテンツよりリンク選択により表示されている場合、同一の上位コンテンツからリンク選択により表示された他のコンテンツの表示を指示する同一階層コンテンツ表示指示手段を具備する。
【００１０】
こうして、リンクによるコンテンツデータの階層を崩すことなく、同一階層のコンテンツを容易に再表示することができる。
【００１１】
【発明の実施の形態】
本発明に係る１個の実施の形態としての通信システム１０について説明する。
１．通信システム１０
通信システム１０は、図１に示すように、携帯電話１００及びＷｅｂサーバ装置２００から構成されている。
【００１２】
Ｗｅｂサーバ装置２００は、インターネット４０に接続されており、文字、静止画、動画、音声など様々な情報を含むページ情報を、インターネット４０を介して公開している。
携帯電話１００は、利用者の指示により、無線基地局２０、携帯電話網３０及びインターネット４０を介して、Ｗｅｂサーバ装置２００と接続し、Ｗｅｂサーバ装置２００からページ情報を取得し、取得したページ情報に基づいてページを構成し、構成したページを表示する。
【００１３】
２．Ｗｅｂサーバ装置２００の構成
Ｗｅｂサーバ装置２００は、図２に示すように、情報記憶部２０１、入力部２０２、表示部２０３、制御部２０４及び通信部２０５から構成されている。Ｗｅｂサーバ装置２００は、具体的には、マイクロプロセッサ、ＲＯＭ、ＲＡＭ、ハードディスクユニット、ＬＡＮ接続ユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、Ｗｅｂサーバ装置２００は、その機能を達成する。
【００１４】
Ｗｅｂサーバ装置２００は、インターネット４０上のアドレス「ａａａ．ｃｏ．ｊｐ」により示される位置に配置されている。
（１）情報記憶部２０１
情報記憶部２０１は、複数個のページ情報を予め記憶している。各ページ情報は、ＨＴＭＬを用いて記述され、各種のタグと呼ばれる文字列を含んで構成されている。これらのタグについては、公知であるので、詳細な説明を省略する。
【００１５】
情報記憶部２０１は、図３に示すように、一例として、ページ情報２２１、２３１、２４１及び２５１を記憶している。
ページ情報２２１、２３１、２４１及び２５１には、それぞれ、ページ識別子２２２、２３２、２４２及び２５２が付加されている。ページ識別子２２２、２３２、２４２及び２５２は、それぞれ、ページ情報２２１、２３１、２４１及び２５１を識別する情報である。
【００１６】
ページ情報２２１は、タグ２２３、２２４及び２２５を含んでいる。タグ２２３、２２４及び２２５は、他のページ情報へのリンクを示すアンカータグであり、それぞれ、「ｈｔｔｐ：／／ａａａ．ｃｏ．ｊｐ／ｔｅｎｋｉ．ｈｔｍｌ」、「ｈｔｔｐ：／／ｂｂｂ．ｃｏ．ｊｐ／ｓｐｏｒｔｓ．ｈｔｍｌ」、「ｈｔｔｐ：／／ｃｃｃ．ｃｏ．ｊｐ／ｎｅｗｓ．ｈｔｍｌ」によりその所在が示されるページ情報へのリンクを示している。ここで、タグ２２３において、「ｈｔｔｐ」は、通信プロトコルの１種であるｈｔｔｐプロトコルを示している。「ａａａ．ｃｏ．ｊｐ  」は、Ｗｅｂサーバ装置２００の所在を示している。「ｔｅｎｋｉ．ｈｔｍｌ」は、ページ情報２３１を識別するページ識別子である。また、タグ２２３は、ページ情報２３１へのリンクを示している。このように、ページ情報２２１は、利用者に対して、他のページ情報へのリンクを選択させるためのメニューに相当する。
【００１７】
ページ情報２３１は、タグ２３３及び２３４を含んでいる。タグ２３３及び２３４は、アンカータグであり、それぞれ、「ｈｔｔｐ：／／ａａａ．ｃｏ．ｊｐ／ｔｏｋｙｏ．ｈｔｍｌ」、「ｈｔｔｐ：／／ａａａ．ｃｏ．ｊｐ／ｏｓａｋａ．ｈｔｍｌ」によりその所在が示されるページ情報へのリンクを示している。ここで、具体的には、タグ２３３及び２３４は、それぞれ、ページ情報２４１及び２５１へのリンクを示している。このように、ページ情報２３１は、ページ情報２２１と同様に、利用者に対して、他のページ情報へのリンクを選択させるためのメニューに相当する。
【００１８】
ページ情報２４１は、文字列２４３を含んでいる。しかし、アンカータグを含んでいない。このように、ページ情報２４１は、利用者に対して情報を提示するためのものである。
ページ情報２５１は、文字列２５３を含んでいる。しかし、アンカータグを含んでいない。このように、ページ情報２５１は、ページ情報２４１と同様に、利用者に対して情報を提示するためのものである。
【００１９】
（２）制御部２０４
制御部２０４は、携帯電話１００から、無線基地局２０、携帯電話網３０、インターネット４０及び通信部２０５を介して、ページ情報の送信の依頼を示す依頼情報と送信すべきページ情報の所在を示すＵＲＬとを受信する。
前記依頼情報と前記ＵＲＬとを受け取ると、制御部２０４は、受け取ったＵＲＬからページ情報を識別するページ識別子を抽出し、抽出したページ識別子により識別されるページ情報を情報記憶部２０１から読み出し、読み出したページ情報を、通信部２０５、インターネット４０、携帯電話網３０及び無線基地局２０を介して、携帯電話１００へ送信する。
【００２０】
（３）入力部２０２、表示部２０３及び通信部２０５
通信部２０５は、制御部２０４と携帯電話１００との間で、インターネット４０、携帯電話網３０及び無線基地局２０を介して、情報の送受信を行う。
表示部２０３は、制御部２０４の制御の基に、各種の情報を表示する。
入力部２０２は、Ｗｅｂサーバ装置２００の操作者から各種の指示を受け付け、受け付けた指示を制御部２０４へ出力する。
【００２１】
３．携帯電話１００
携帯電話１００は、携帯型の電話機であり、無線による通話、Ｗｅｂサーバ装置２００からのページ情報の取得、保存及び表示、並びにその他のデータ処理を行い、図４に示すように、アンテナ１０１、無線部１０２、通信制御部１０３、音声を出力するスピーカ１０４、音声の入力を受け取るマイク１０５、解析部１０６、制御部１０７、表示部１０８、履歴処理部１０９、情報記憶部１１０及び入力部１１１から構成されている。
【００２２】
携帯電話１００は、具体的には、汎用プロセッサ、信号処理プロセッサ（ＤＳＰ）、ＲＯＭ、ＲＡＭなどを含むコンピュータシステムである。前記ＲＯＭには、コンピュータプログラムが記憶されている。前記汎用プロセッサや前記信号処理プロセッサが、前記コンピュータプログラムに従って動作することにより、携帯電話１００は、その機能を達成する。
【００２３】
（１）無線部１０２及び通信制御部１０３
無線部１０２は、受信部（図示していない）及び送信部（図示していない）から構成され、受信部は、アンテナ１０１により受信した信号を増幅し、復調して通信制御部１０３へ出力する。送信部は、通信制御部１０３から受信した信号を変調し、増幅し、アンテナ１０１へ出力する。
【００２４】
通信制御部１０３は、ベースバンド信号処理部とも呼ばれ、各種の信号処理を行う。
無線部１０２及び通信制御部１０３については、公知であるので、詳細な説明を省略する。
（２）表示部１０８
表示部１０８は、具体的には、液晶ディスプレィユニットを含んで構成され、図５に一例として示すように、制御部１０７の制御の基に、画面３０１を表示する。また、表示部１０８は、解析部１０６から、ページ情報に基づいて構成されたページを受け取り、受け取ったページを後述する情報表示部３０５へ表示する。
【００２５】
画面３０１は、この図に示すように、状態表示部３０７、情報表示部３０５、文字表示部３０２及び選択肢表示部３０６から構成されている。
状態表示部３０７は、携帯電話１００による電波の受信状態などを表示する。文字表示部３０２は、携帯電話１００の利用者により入力される文字列を表示する。入力される文字列には、電話番号、ＵＲＬなどが含まれる。
【００２６】
選択肢表示部３０６は、携帯電話１００への操作を示す操作選択肢を表示する。一例として、図５に示す画面３０１では、操作選択肢３０３「戻る」及び３０４「同一階層」が表示されている。操作選択肢３０３及び３０４は、Ｗｅｂサーバ装置２００からのページ情報の取得、保存及び表示などを行う際に用いられる操作を示しており、操作選択肢３０３「戻る」は、現在、情報表示部３０５にページが表示されているときに、表示されているページの直前に表示されていたページを表示するための操作を示す。操作選択肢３０４「同一階層」は、現在、情報表示部３０５に子ページが表示されているときに、情報表示部３０５に表示されている子ページと同一の親ページを有する他の子ページを表示するための操作を示す。
【００２７】
情報表示部３０５は、解析部１０６から受け取ったページを表示する。図５において、画面３１１、３２１、３３１及び３４１における情報表示部には、一例として、それぞれ、Ｗｅｂサーバ装置２００から取得したページ情報２２１、２３１、２４１及び２５１に基づいて構成されたページが表示されている。画面３１１において、リンク選択肢３１２は、ページ情報２３１へのリンクを示している。また、画面３２１において、リンク選択肢３２２及び３２３は、ページ情報２４１及び２５１へのリンクを示している。さらに、画面３３１及び３４１において、それぞれ、文字列３３２及び３４２が表示されている。
【００２８】
（３）入力部１１１
入力部１１１は、具体的には、テンキー、電源ＯＮキー、電源ＯＦＦキー、十字キー、決定キーなどを含み、利用者によりこれらのキーが操作されると、操作されたキーに対応する指示情報を制御部１０７へ出力する。
例えば、利用者から電話番号やＵＲＬの入力を受け付けると、入力を受け付けた電話番号やＵＲＬを制御部１０７へ出力する。また、操作選択肢３０３「戻る」及び操作選択肢３０４「同一階層」の選択を受け付けると、それぞれ、戻るキー指示及び同一階層キー指示を制御部１０７へ出力する。また、リンク選択肢の選択を受け付けると、対応するリンク選択を示すアンカータグ指示を制御部１０７へ出力する。
【００２９】
（４）情報記憶部１１０
情報記憶部１１０は、図６に示すように、１個以上のページ履歴情報４３１、４３２、・・・、４３３、カレント番号４２１及び保存先頭番号４２２を記憶するための領域を備えている。初期状態においては、これらの領域には、情報は格納されていない。
【００３０】
ページ履歴情報４３１、４３２、・・・、４３３は、Ｗｅｂサーバ装置２００から複数のページ情報を取得したと仮定した場合における前記複数のページ情報に対応しており、取得した複数のページ情報が有する相互のリンク関係と、同一の相互のリンク関係を有してる。
以下において、ページ履歴情報４３１について説明するが、ページ履歴情報４３２、・・・、４３３については、ページ履歴情報４３１と同様のデータ構造を有しているので説明を省略する。
【００３１】
ページ履歴情報４３１には、ページ番号４０２が付加されている。ページ番号４０２は、情報記憶部１１０内において、ページ履歴情報４３１を一意に識別するための識別番号であり、具体的には、ページ情報を取得した順に割り振られた「１」、「２」、「３」、・・・などの番号である。
ページ履歴情報４３１は、ページ情報４０４、上位番号４０５、下位番号４０６、ＵＲＬ４０７及び子ヒストリテーブル４０８から構成されている。
【００３２】
ページ情報４０４は、Ｗｅｂサーバ装置２００から取得したページ情報そのものである。
上位番号４０５は、ページ履歴情報４３１に含まれるページ情報４０４とリンク関係を有するページ情報のうち上位側のものを含むページ履歴情報を識別するページ番号である。ここで、リンク元を上位側と呼んでいる。上位側のページ情報が存在しない場合には、上位番号４０５は、ＮＵＬＬ値を有する。
【００３３】
下位番号４０６は、ページ履歴情報４３１に含まれるページ情報４０４とリンク関係を有するページ情報のうち下位側のものを含むページ履歴情報を識別するページ番号である。ここで、リンク先を下位側と呼んでいる。下位側のページ情報が存在しない場合には、下位番号４０６は、ＮＵＬＬ値を有する。
ＵＲＬ４０７は、ページ履歴情報４３１に含まれるページ情報４０４のＷｅｂサーバ装置２００における所在を示す。
【００３４】
子ヒストリテーブル４０８は、０個以上の子ヒストリ情報４０９、４１０、・・・を含む。０個以上としているのは、子ヒストリテーブル４０８は、全く子ヒストリ情報を含まない場合もあるからである。
子ヒストリ情報４０９は、ページ履歴情報４３１に含まれるページ情報４０４とリンク関係を有するページ情報のうち下位側のものを含むページ履歴情報を識別するページ番号である。子ヒストリ情報４１０についても、子ヒストリ情報４０９と同様である。
【００３５】
カレント番号４２１は、現在、表示部１０８に表示されているページの基となるページ情報を含むページ履歴情報を識別するページ番号である。
保存先頭番号４２２は、最後に、つまり最も最近、情報記憶部１１０に格納されたページ履歴情報を識別するページ番号である。
（５）解析部１０６
解析部１０６は、制御部１０７の制御により、通信制御部１０３からページ情報を受け取り、又は履歴処理部１０９からページ情報を受け取る。次に、受け取ったページ情報に含まれるタグを解析して、テキスト文字、チェックボタン、エディタなどの表示部品を生成し、生成した表示部品を配置したページを生成し、生成したページを表示部１０８へ出力する。また、ページの表示部１０８への出力が完了すると、出力の完了を示す完了情報を制御部１０７へ出力する。
【００３６】
（６）制御部１０７
制御部１０７は、入力部１１１から指示情報を受け取り、次に、受け取った指示情報が、同一階層キー指示、アンカータグ指示、ＵＲＬ及び他の情報のいずれであるかを判断し、その他の情報である場合には、受け取ったその他の情報に対応するその他の処理を行う。
【００３７】
アンカータグ指示又はＵＲＬである場合には、制御部１０７は、通信制御部１０３、無線部１０２、アンテナ１０１、無線基地局２０、携帯電話網３０及びインターネット４０を介して、Ｗｅｂサーバ装置２００から、入力部１１１から受け取ったアンカータグ指示又はＵＲＬにより識別されるページ情報を取得し、取得したページ情報を解析部１０６へ出力する。次に、解析部１０６から完了情報を受け取ると、受け取ったアンカータグ指示又はＵＲＬ、及び取得したページ情報を履歴処理部１０９へ出力する。
【００３８】
また、同一階層キー指示である場合には、履歴処理部１０９に対して、同一階層の取得を示す指示を出力する。
（７）履歴処理部１０９
履歴処理部１０９は、制御部１０７からアンカータグ指示又はＵＲＬ、及び取得したページ情報を受け取る。また、同一階層の取得を示す指示を受け取る。
【００３９】
（履歴の保存処理）
制御部１０７からアンカータグ指示又はＵＲＬ、及び取得したページ情報を受け取ると、以下に示すようにして、履歴の保存処理を行う。
履歴処理部１０９は、受け取ったアンカータグ指示又はＵＲＬにより、今回取得し、表示したページが、利用者がアンカーを選択して取得したものであるか、又は利用者が直接ＵＲＬを入力して取得したものかを判断する。
【００４０】
アンカーを選択したものであると判断する場合には、履歴処理部１０９は、取得したページ情報を識別するページ番号を生成する。次に、カレント番号４２１により示されるページ履歴情報に含まれる子ヒストリテーブル内に、生成したページ番号を子ヒストリ情報として追加して書き込み、取得したページ情報と、カレント番号４２１と同じ値の上位番号と、ＮＵＬＬ値を有する下位番号と、取得したページ情報の所在を示すＵＲＬと子ヒストリテーブルとを含む新たなページ履歴情報を生成し、情報記憶部１１０内に生成したページ履歴情報のための領域を確保し、生成したページ履歴情報を確保した領域内へ書き込む。
【００４１】
ここで、生成したページ履歴情報内の子ヒストリテーブルには何も含まれない。また、前記領域が確保されない場合には、最も古い時点に確保された領域内に生成したページ履歴情報を書き込む。
次に、履歴処理部１０９は、カレント番号４２１により示されるページ履歴情報と、新たに生成されたページ履歴情報とをチェインで接続する。すなわち、カレント番号４２１により示されるページ履歴情報内の下位番号に、新たに生成されたページ履歴情報を識別するページ番号を書き込み、新たに生成されたページ履歴情報内の上位番号に、カレント番号４２１を書き込み、次に、生成したページ番号を、カレント番号４２１へ上書きする。
【００４２】
利用者が直接ＵＲＬを入力して取得したものであると判断する場合には、履歴処理部１０９は、情報記憶部１１０に記憶されているカレント番号４２１と保存先頭番号４２２とが同じ値を有するか否かを判断する。同じ値を有すると判断する場合には、カレント番号４２１により示されるページ履歴情報に含まれる子ヒストリテーブル内に記憶されている子ヒストリ情報を全て削除し、次に、上述したように、ページ情報の保存と、チェインのつなぎ替えと、カレント番号４２１の更新とを行う。
【００４３】
同じ値を有していないと判断する場合には、履歴処理部１０９は、カレント番号４２１を、チェインの前方に１つ進めたページ履歴情報を識別するページ番号とする。すなわち、カレント番号４２１により識別されるページ履歴情報から下位番号を抽出し、抽出した下位番号をカレント番号４２１へ上書きする。次に、カレント番号４２１により示されるページ履歴情報内のページ情報に、受け取った前記ページ情報を上書きする。
【００４４】
このとき、ページ履歴情報と他のページ履歴情報とのチェインは、変更しない。つまり、ページ履歴情報に含まれる下位番号や上位番号を変更することはない。
チェインは、操作される順序を元の方向へたどるために用いられる。上記で説明したように、チェインをつなぎかえることで、従来のブラウザ等のコンテンツ履歴表示機能の操作性を変えることがなくなる。すなわち、
「ｈｔｔｐ：／／ａａａ．ｃｏ．ｊｐ／ｔｏｋｙｏ．ｈｔｍｌ  」により示されるページを表示している状態で、利用者から「戻る」を指示されると、直前に表示されていた「ｈｔｔｐ：／／ａａａ．ｃｏ．ｊｐ／ｔｅｎｋｉ．ｈｔｍｌ  」により示されるページが表示される。
【００４５】
（同一階層の取得の処理）
また、制御部１０７から同一階層の取得を示す指示を受け取ると、以下に示すようにして、同一階層の取得の処理を行う。
履歴処理部１０９は、カレント番号４２１により識別されるページ履歴情報内の上位番号を取得し、取得した上位番号により識別されるページ履歴情報を取得する。次に、取得したページ履歴情報に含まれる子ヒストリテーブルから、カレント番号４２１と同じ値を有する子ヒストリ情報を検索し、前記条件に合致する子ヒストリ情報が発見できたら、発見した子ヒストリ情報の次に配置されている子ヒストリ情報を取得する。ここで、発見した子ヒストリ情報が、子ヒストリテーブルの最後に配置されているものであれば、子ヒストリテーブルの先頭に配置されている子ヒストリ情報を取得する。
【００４６】
ここで、カレント番号４２１以外の値を有する子ヒストリ情報が子ヒストリテーブル内に存在しなければ、ページ履歴情報の取得を中止する。
子ヒストリ情報が取得できれば、カレント番号４２１に、取得した子ヒストリ情報を上書きして、カレントを取得した子ヒストリ情報に移動し、取得したページ履歴情報と移動した位置をチェインでつなぐ。
【００４７】
すなわち、取得したページ履歴情報内の下位番号に、カレント番号４２１を上書きし、カレント番号４２１により識別されるページ履歴情報内の上位番号に、取得したページ履歴情報を識別するページ番号を上書きする。
次に、履歴処理部１０９は、カレント番号４２１により識別されるページ履歴情報からページ情報を抽出し、抽出したページ情報を解析部１０６へ出力する。
【００４８】
４．具体例による説明
携帯電話１００による動作について、具体例を用いて説明する。特に、携帯電話１００の表示部１０８に表示されているページの状態と、情報記憶部１１０に記憶されている情報とを対応付けて説明する。
（１）携帯電話１００が、図５の画面３０１に示すように、利用者からＵＲＬ「ｈｔｔｐ：／／ａａａ．ｃｏ．ｊｐ／ｍｅｎｕ．ｈｔｍｌ」の入力を受け付けると（ステップＳ１０）、Ｗｅｂサーバ装置２００から、図３に示すページ情報２２１を取得し、取得したページ情報２２１からページを構成して、画面３１１に示すように、ページを表示する。
【００４９】
画面３１１に示すページが表示された直後において、情報記憶部１１０には、図７に示すように、ページ履歴情報４４１、カレント番号４８１及び保存先頭番号４８２が記憶されている。
ページ履歴情報４４１には、ページ番号４４２「１」が付加されている。
ページ履歴情報４４１は、ページ情報４４３、上位番号４４４、下位番号４４５、ＵＲＬ４４６及び子ヒストリ情報４４７から構成されている。ここで、ページ情報４４３、上位番号４４４、下位番号４４５、ＵＲＬ４４６及び子ヒストリ情報４４７は、それぞれ、「ｈｔｔｐ：／／ａａａ．ｃｏ．ｊｐ／ｍｅｎｕ．ｈｔｍｌ」により示されるページ情報、「ＮＵＬＬ」、「ＮＵＬＬ」及び「ｈｔｔｐ：／／ａａａ．ｃｏ．ｊｐ／ｍｅｎｕ．ｈｔｍｌ」を格納している。
【００５０】
カレント番号４８１及び保存先頭番号４８２は、それぞれ、「１」及び「１」を格納している。
（２）次に、画面３１１に表示されているアンカーのうち、利用者がリンク選択肢３１２「天気情報」を選択すると（ステップＳ１１）、携帯電話１００は、Ｗｅｂサーバ装置２００から、図３に示すページ情報２３１を取得し、取得したページ情報２３１からページを構成して、画面３２１に示すように、ページを表示する。画面３２１には、リンク選択肢３２２「東京の天気」及びリンク選択肢３２３「大阪の天気」が含まれている。
【００５１】
画面３２１に示すページが表示された直後において、情報記憶部１１０には、図７に示すように、ページ履歴情報４４１、４５１、カレント番号４８１及び保存先頭番号４８２が記憶されている。
ページ履歴情報４５１には、ページ番号４５２「２」が付加されている。
ページ履歴情報４４１の下位番号４４５は、「ＮＵＬＬ」から「２」に変わる。また、ページ履歴情報４４１は、さらに、子ヒストリ情報４４７を含む。ここで、子ヒストリ情報４４７は、「２」を格納している。
【００５２】
また、ページ履歴情報４５１は、ページ情報４５３、上位番号４５４、下位番号４５５、ＵＲＬ４５６から構成されている。ここで、ページ情報４５３、上位番号４５４、下位番号４５５、ＵＲＬ４５６は、それぞれ、「ｈｔｔｐ：／／ａａａ．ｃｏ．ｊｐ／ｔｅｎｋｉ．ｈｔｍｌ」により示されるページ情報、「１」、「ＮＵＬＬ」、「ｈｔｔｐ：／／ａａａ．ｃｏ．ｊｐ／ｔｅｎｋｉ．ｈｔｍｌ」を格納している。
【００５３】
また、カレント番号４８１及び保存先頭番号４８２は、それぞれ、「２」及び「２」を格納している。
この状態において、ページ履歴情報４４１とページ履歴情報４５１とがチェイン４８１、４８２で接続されている。
（３）次に、画面３２１に表示されているアンカーのうち、利用者がリンク選択肢３２２「東京の天気」を選択すると（ステップＳ１２）、携帯電話１００は、Ｗｅｂサーバ装置２００から、図３に示すページ情報２４１を取得し、取得したページ情報２４１からページを構成して、画面３３１に示すように、ページを表示する。
【００５４】
画面３３１に示すページが表示された直後において、情報記憶部１１０には、図７に示すように、ページ履歴情報４４１、４５１、４６１、カレント番号４８１及び保存先頭番号４８２が記憶されている。
ページ履歴情報４６１には、ページ番号４６２「３」が付加されている。
ここで、ページ履歴情報４４１の内容には変化はない。
【００５５】
ページ履歴情報４５１の下位番号４５５は、「ＮＵＬＬ」から「３」に変わる。ページ履歴情報４５１は、さらに、子ヒストリ情報４５７を含み、子ヒストリ情報４５７は、「３」を格納している。
また、ページ履歴情報４６１は、ページ情報４６３、上位番号４６４、下位番号４６５及びＵＲＬ４６６から構成されている。ここで、ページ情報４６３、上位番号４６４、下位番号４６５及びＵＲＬ４６６は、それぞれ、「ｈｔｔｐ：／／ａａａ．ｃｏ．ｊｐ／ｔｏｋｙｏ．ｈｔｍｌ」により示されるページ情報、「２」、「ＮＵＬＬ」及び「ｈｔｔｐ：／／ａａａ．ｃｏ．ｊｐ／ｔｏｋｙｏ．ｈｔｍｌ」を格納している。
【００５６】
また、カレント番号４８１及び保存先頭番号４８２は、それぞれ、「３」及び「３」を格納している。
この状態において、ページ履歴情報４４１とページ履歴情報４５１とがチェイン４８１、４８２で接続され、さらにページ履歴情報４５１とページ履歴情報４６１とがチェイン４８３、４８４で接続されている。
【００５７】
（４）ここで、利用者により操作選択肢「戻る」の選択を受け付けると  （ステップＳ１３）、携帯電話１００は、再度、画面３２１を表示する。
画面３２１に示すページが表示された直後において、情報記憶部１１０には、図７に示すように、ページ履歴情報４４１、４５１、４６１、カレント番号４８１及び保存先頭番号４８２が記憶されている。
【００５８】
ここで、ページ履歴情報４４１、４５１、４６１の内容には変化はない。
また、カレント番号４８１及び保存先頭番号４８２は、それぞれ、「２」及び「３」を格納している。
この状態において、ページ履歴情報４４１とページ履歴情報４５１とがチェイン４８１、４８２で接続され、さらにページ履歴情報４５１とページ履歴情報４６１とがチェイン４８３、４８４で接続されている。
【００５９】
（５）次に、画面３２１に表示されているアンカーのうち、利用者がリンク選択肢３２３「大阪の天気」を選択すると（ステップＳ１４）、携帯電話１００は、Ｗｅｂサーバ装置２００から、図３に示すページ情報２５１を取得し、取得したページ情報２５１からページを構成して、画面３４１に示すように、ページを表示する。
【００６０】
画面３４１に示すページが表示された直後において、情報記憶部１１０には、図７に示すように、ページ履歴情報４４１、４５１、４６１、４７１、カレント番号４８１及び保存先頭番号４８２が記憶されている。
ページ履歴情報４７１には、ページ番号４７２「４」が付加されている。
ページ履歴情報４４１の内容に変化はない。
【００６１】
ページ履歴情報４５１の下位番号４５５は、「４」を格納している。また、  ページ履歴情報４５１は、さらに、子ヒストリ情報４５８を含み、子ヒストリ情報４５８は、「４」を格納している。
ページ履歴情報４６１の上位番号４６４は、「ＮＵＬＬ」を格納している。
また、ページ履歴情報４７１は、ページ情報４７３、上位番号４７４、下位番号４７５及びＵＲＬ４７６から構成されている。ここで、ページ情報４７３、上位番号４７４、下位番号４７５及びＵＲＬ４７６は、それぞれ、「ｈｔｔｐ：／／ａａａ．ｃｏ．ｊｐ／ｏｓａｋａ．ｈｔｍｌ」により示されるページ情報、「２」、「ＮＵＬＬ」及び「ｈｔｔｐ：／／ａａａ．ｃｏ．ｊｐ／ｏｓａｋａ．ｈｔｍｌ」を格納している。
【００６２】
また、カレント番号４８１及び保存先頭番号４８２は、それぞれ、「４」及び「４」を格納している。
この状態において、ページ履歴情報４４１とページ履歴情報４５１とがチェイン４８１、４８２で接続され、さらにページ履歴情報４５１とページ履歴情報４７１とがチェイン４８５、４８６で接続されている。ページ履歴情報４５１とページ履歴情報４６１とのチェイン４８３、４８４は切断されている。
【００６３】
（６）ここで、利用者により操作選択肢「同一階層」の選択を受け付けると（ステップＳ１５）、携帯電話１００は、再度、画面３３１を表示する。
画面３３１に示すページが表示された直後において、情報記憶部１１０には、図８に示すように、ページ履歴情報４４１、４５１、４６１、４７１、カレント番号４８１及び保存先頭番号４８２が記憶されている。
【００６４】
ページ履歴情報４４１の内容に変化はない。
ページ履歴情報４５１の下位番号４５５は、「３」を格納している。
ページ履歴情報４６１の上位番号４６４は、「２」を格納している。
ページ履歴情報４７１の上位番号４７４は、「ＮＵＬＬ」を格納している。
また、カレント番号４８１及び保存先頭番号４８２は、それぞれ、「３」及び「４」を格納している。
【００６５】
この状態において、ページ履歴情報４４１とページ履歴情報４５１とがチェイン４８１、４８２で接続され、さらにページ履歴情報４５１とページ履歴情報４６１とがチェイン４８３、４８４で接続されている。ページ履歴情報４５１とページ履歴情報４７１とのチェイン４８５、４８６は切断されている。
５．通信システム１０の動作
通信システム１０の動作について、図９〜図１１に示すフローチャートを用いて説明する。
【００６６】
入力部１１１は、利用者によりキーが操作されると、操作されたキーに対応する指示情報を制御部１０７へ出力する（ステップＳ１０１）。
制御部１０７は、受け取った指示情報が、同一階層キー指示、アンカータグ指示、ＵＲＬ及び他の情報のいずれであるかを判断し、その他の情報である場合には（ステップＳ１０２）、その他の処理を行い（ステップＳ１０３）、次に、ステップＳ１０１へ戻って処理を繰り返す。
【００６７】
また、同一階層キー指示である場合には（ステップＳ１０２）、ステップＳ１３１へ制御を移す。
アンカータグ指示又はＵＲＬである場合には、（ステップＳ１０２）、制御部１０７は、通信制御部１０３、無線部１０２、アンテナ１０１、無線基地局２０、携帯電話網３０及びインターネット４０を介して、Ｗｅｂサーバ装置２００から、入力部１１１から受け取ったアンカータグ指示又はＵＲＬにより識別されるページ情報を取得し、取得したページ情報を解析部１０６へ出力する（ステップＳ１１１）。
【００６８】
次に、解析部１０６は、ページ情報を受け取り、受け取ったページ情報に含まれるタグを解析して、表示部品を生成し、表示部品から構成されるページを生成し、生成したページを表示部１０８へ出力し、出力が完了すると、出力の完了を示す完了情報を制御部１０７へ出力する。（ステップＳ１１２）。
次に、表示部１０８は、ページを受け取り、受け取ったページを情報表示部３０５において表示する（ステップＳ１１３）。
【００６９】
制御部１０７は、解析部１０６から完了情報を受け取ると、受け取ったアンカータグ指示又はＵＲＬ、及び取得したページ情報を履歴処理部１０９へ出力し、履歴処理部１０９は、受け取ったアンカータグ指示又はＵＲＬにより、今回取得し、表示したページは、利用者がアンカーを選択して取得したものであるか、又は利用者が直接ＵＲＬを入力して取得したものかを判断する。アンカーを選択したものであると判断する場合には（ステップＳ１１５）、履歴処理部１０９は、取得したページ情報を識別するページ番号を生成し、カレント番号４２１により示されるページ履歴情報に含まれる子ヒストリテーブル内に、生成したページ番号を子ヒストリ情報として追加して書き込み（ステップＳ１２０）、取得したページ情報と、カレント番号４２１と同じ値の上位番号と、ＮＵＬＬ値を有する下位番号と、取得したページ情報の所在を示すＵＲＬと子ヒストリテーブルとを含む新たなページ履歴情報を生成し、情報記憶部１１０内に生成したページ履歴情報のための領域を確保し、生成したページ履歴情報を確保した領域内へ書き込む。ここで、生成したページ履歴情報内の子ヒストリテーブルには何も含まれない。また、前記領域が確保されない場合には、最も古い時点に確保された領域内に生成したページ履歴情報を書き込む（ステップＳ１２１）。次に、カレント番号４２１により示されるページ履歴情報と、新たに生成されたページ履歴情報とをチェインで接続する。すなわち、カレント番号４２１により示されるページ履歴情報内の下位番号に、新たに生成されたページ履歴情報を識別するページ番号を書き込み、新たに生成されたページ履歴情報内の上位番号に、カレント番号４２１を書き込む（ステップＳ１２２）。次に、生成したページ番号を、カレント番号４２１へ上書きし（ステップＳ１２３）、ステップＳ１０１へ制御を移し、処理を繰り返す。
【００７０】
利用者が直接ＵＲＬを入力して取得したものであると判断する場合には（ステップＳ１１５）、カレント番号４２１により示されるページ履歴情報に含まれる子ヒストリテーブル内に記憶されている子ヒストリ情報を全て削除し（ステップＳ１１６）、履歴処理部１０９は、情報記憶部１１０に記憶されているカレント番号４２１と保存先頭番号４２２とが同じ値を有するか否かを判断し、同じ値を有すると判断する場合には（ステップＳ１１７）、次に、ステップＳ１２１へ制御を移す。
【００７１】
同じ値を有していないと判断する場合には（ステップＳ１１７）、履歴処理部１０９は、カレント番号４２１を、チェインの前方に１つ進めたページ履歴情報を識別するページ番号とし、すなわち、カレント番号４２１により識別されるページ履歴情報から下位番号を抽出し、抽出した下位番号をカレント番号４２１へ上書きし（ステップＳ１１８）、カレント番号４２１により示されるページ履歴情報内のページ情報に、受け取った前記ページ情報を上書きする。このとき、ページ履歴情報と他のページ履歴情報とのチェインは、変更しない。つまり、ページ履歴情報に含まれる下位番号や上位番号を変更することはない（ステップＳ１１９）。次に、ステップＳ１０１へ制御を移し、処理を繰り返す。
【００７２】
また、ステップＳ１３１において、履歴処理部１０９は、カレント番号４２１により識別されるページ履歴情報内の上位番号を取得し、取得した上位番号により識別されるページ履歴情報を取得する（ステップＳ１３１）。次に、取得したページ履歴情報に含まれる子ヒストリテーブルから、カレント番号４２１と同じ値を有する子ヒストリ情報を検索し、前記条件に合致する子ヒストリ情報が発見できたら、発見した子ヒストリ情報の次に配置されている子ヒストリ情報を取得する。ここで、発見した子ヒストリ情報が、子ヒストリテーブルの最後に配置されているものであれば、子ヒストリテーブルの先頭に配置されている子ヒストリ情報を取得する。ここで、カレント番号４２１以外の値を有する子ヒストリ情報が子ヒストリテーブル内に存在しなければ（ステップＳ１３２）、ステップＳ１０１へ制御を移して、処理を繰り返す。
【００７３】
子ヒストリ情報が取得できれば（ステップＳ１３２）、カレント番号４２１に、取得した子ヒストリ情報を上書きして、カレントを取得した子ヒストリ情報に移動し（ステップＳ１３３）、ステップＳ１３１で取得したページ履歴情報とステップＳ１３３で移動した位置をチェインでつなぐ。すなわち、ステップＳ１３１で取得したページ履歴情報内の下位番号に、カレント番号４２１を上書きし、カレント番号４２１により識別されるページ履歴情報内の上位番号に、ステップＳ１３１で取得したページ履歴情報を識別するページ番号を上書きする（ステップＳ１３４）。
【００７４】
次に、履歴処理部１０９は、カレント番号４２１により識別されるページ履歴情報からページ情報を抽出し、抽出したページ情報を解析部１０６へ出力し（ステップＳ１３５）、次に、解析部１０６は、ページ情報を受け取り、受け取ったページ情報に含まれるタグを解析して、表示部品を生成し、表示部品から構成されるページを生成し、生成したページを表示部１０８へ出力し、出力が完了すると、出力の完了を示す完了情報を制御部１０７へ出力する。（ステップＳ１３６２）。表示部１０８は、ページを受け取り、受け取ったページを情報表示部３０５において表示する（ステップＳ１３７）。次に、ステップＳ１０１へ制御を移し、処理を繰り返す。
【００７５】
６．その他の変形例
なお、本発明を上記の実施の形態に基づいて説明してきたが、本発明は、上記の実施の形態に限定されないのはもちろんである。以下のような場合も本発明に含まれる。
（１）上記の実施の形態において携帯電話の代わりに、インターネットに接続されるパーソナルコンピュータなどを用いるとしてもよいし、また、携帯型の通信情報端末を用いるとしてもよい。
【００７６】
（２）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００７７】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００７８】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（３）上記実施の形態及び上記変形例をそれぞれ組み合わせるとしてもよい。
【００７９】
【発明の効果】
以上説明したように、本発明は、ネットワークを介してサーバ装置から、子ページへのリンクと他の子ページへのリンクとを有する親ページ、前記子ページ及び前記他の子ページを順次取得し表示した後に、前記子ページを再度表示する通信端末装置であって、子ページ識別子により識別される前記子ページを記憶しているページ記憶手段と、前記子ページ識別子を履歴情報として記憶しているページ識別子記憶手段と、現在表示されている前記他の子ページと同一の前記親ページを有する前記子ページの表示を示す指示情報を利用者から受け付ける受付手段と、前記指示情報を受け付けた場合に、前記ページ識別子記憶手段から前記履歴情報を取得する取得手段と、取得した履歴情報により識別される前記子ページを前記ページ記憶手段から読み出す読出手段と、読み出した前記子ページを表示する表示手段とを備える。
【００８０】
この構成によると、現在表示されている他の子ページと同一の親ページを有する子ページの表示を示す指示情報を受け付けた場合に、前記ページ識別子記憶手段から前記履歴情報を取得し、取得した履歴情報により識別される前記子ページを前記ページ記憶手段から読み出し、読み出した前記子ページを表示するので、再度、親ページが表示されることなく、子ページを表示することができる。
【００８１】
ここで、前記通信端末装置は、さらに、ネットワークを介して、前記子ページを取得する際に、取得した前記子ページを前記ページ記憶手段に書き込むページ書込手段と、取得した前記子ページを識別する子ページ識別子を前記履歴情報として前記ページ識別子記憶手段に書き込む識別子書込手段とを備える。
この構成によると、前記子ページを取得する際に、子ページ識別子を前記履歴情報として前記ページ識別子記憶手段に書き込むので、前記履歴情報を用いて、子ページを取得することができる。
【００８２】
ここで、前記通信端末装置は、さらに、現在表示されている前記他の子ページを識別する他の子ページ識別子をカレント識別子として記憶しているカレント識別子記憶手段を備え、前記ページ書込手段は、さらに、ネットワークを介して、前記他の子ページを取得する際に、取得した前記他の子ページを前記ページ記憶手段に書き込み、識別子書込手段は、さらに、取得した前記他の子ページを識別する他の子ページ識別子を他の履歴情報として前記ページ識別子記憶手段に書き込み、前記取得手段は、前記指示情報を受け付けた場合に、前記カレント識別子記憶手段に記憶されているカレント識別子とは異なる履歴情報を前記ページ識別子記憶手段から取得する。
【００８３】
この構成によると、２個の履歴情報が記憶され、２個の履歴情報からカレント識別子とは異なる履歴情報を取得することにより、表示されている子ページと同一の親ページを有する他の子ページを得ることができる。
【図面の簡単な説明】
【図１】通信システム１０の構成を示すブロック図である。
【図２】Ｗｅｂサーバ装置２００の構成を示すブロック図である。
【図３】情報記憶部２０１に記憶されているページ情報の一例を示す。
【図４】携帯電話１００の構成を示すブロック図である。
【図５】表示部１０８により表示される画面の一例を示す。
【図６】情報記憶部１１０に記憶されているページ履歴情報４３１、４３２、・・・、４３３、カレント番号４２１及び保存先頭番号４２２のデータ構造を示す。
【図７】情報記憶部１１０に記憶されているページ履歴情報４４１、４５１、４６１、４７１、カレント番号４８１及び保存先頭番号４８２の一例を示す。
【図８】情報記憶部１１０に記憶されているページ履歴情報４４１、４５１、４６１、４７１、カレント番号４８１及び保存先頭番号４８２の他の一例を示す。
【図９】通信システム１０の動作を示すフローチャートである。図１０へ続く。
【図１０】通信システム１０の動作を示すフローチャートである。図１１へ続く。
【図１１】通信システム１０の動作を示すフローチャートである。図１０から続く。
【符号の説明】
１０    通信システム
２０    無線基地局
３０    携帯電話網
４０    インターネット
１００    携帯電話
１０１    アンテナ
１０２    無線部
１０３    通信制御部
１０４    スピーカ
１０５    マイク
１０６    解析部
１０７    制御部
１０８    表示部
１０９    履歴処理部
１１０    情報記憶部
１１１    入力部
２００    サーバ装置
２０１    情報記憶部
２０２    入力部
２０３    表示部
２０４    制御部
２０５    通信部
【図１】
2004334494.tif 000003
【図２】
2004334494.tif 000004
【図３】
2004334494.tif 000005
【図４】
2004334494.tif 000006
【図５】
2004334494.tif 000007
【図６】
2004334494.tif 000008
【図７】
2004334494.tif 000009
【図８】
2004334494.tif 000010
【図９】
2004334494.tif 000011
【図１０】
2004334494.tif 000012
【図１１】
2004334494.tif 000013